(57)【要約】      （修正有）【課題】高速回転する巻線用中子に２次巻線の細電線を巻き付け、シート所定巻層数毎に間欠的に絶縁樹脂シートを巻き付ける際に発生する、皺や歪みや側縁の不揃いを防止した角型コイルを作る角型コイル用巻線機を提供する。【解決手段】回転部１の回転軸１１に巻線用角型中子１２を装着し、コイル巻き寸法に対応して回転軸１１の軸方向を往復移動し、同時に、巻線用角型中子１２に巻かれた１次巻線の上に巻付ける２次巻線の細電線２１を繰出す電線繰出し部２を備えた角型コイル用巻線機において、テープ状の絶縁樹脂シート３２を所定長に切断し、巻線用角型中子１２に巻かれる前記細電線２１の下に間欠的に繰出す絶縁樹脂シート繰出し部３と、上端側が固定され下端側が前記巻線用角型中子１２に巻かれている絶縁樹脂シート３２の上面を自重により押圧する絶縁シート整巻用押圧長片４を斜め方向に垂下して設ける。【選択図】図２
0003183869.tif 000002
【実用新案登録請求の範囲】
【請求項１】
回転部１の回転軸１１に巻線用角型中子１２を装着し、コイル巻き寸法に対応して前記回転軸１１の軸方向に往復移動し、同時に、巻く線用角型中子１２に巻かれた１次巻線の上に巻付ける２次巻線の細電線２１を繰出す電線繰出し部２を備えた角型コイル用巻線機において、テープ状の絶縁樹脂シート３２を所定長に切断し、前記の巻線用角型中子１２に巻かれる前記細電線２１の下に間欠的に繰出す絶縁樹脂シート繰出し部３と、上端側が固定され、下端側が前記巻線用角型中子１２に巻かれている絶縁樹脂シート３２の上面を自重により押圧する絶縁シート整巻用押圧長片４を設けた事を特徴とする角型コイル用巻線機。
【考案の詳細な説明】
【技術分野】
【０００１】  本考案は、電力関係機器等に使用する角型糧コイル用巻線機に関する。
【背景技術】
【０００２】  従来、角型コイル用巻線機においては、回転軸に装着した巻線用角型中子に巻き付けた１次巻線の表面側に２次巻線の細電線を巻き付ける際、絶縁シートを所定巻層数毎に間欠的に巻き付ける為の絶縁シート供給工程を手作業で行っていた。近年この絶縁シート供給を機械的に自動化したが、使用する絶縁樹脂シートの材質や厚さに起因してか、品質上の問題が多く発生している。
【考案の開示】
【考案が解決しようとする課題】
【０００３】  角型コイル巻線機における絶縁樹脂シートの間欠供給が自動化して、１次巻線後の高速回転している巻線用各型中子に対して、２次巻線の細電線は、１巻層毎に軸方向に順次並列に巻かれ、所定巻層数に応じて繰り出される絶縁樹脂シートは、巻いている細電線の下側に挿入されて巻線用角型中子に巻かれる。【０００４】  しかし、絶縁樹脂シートは長さが短く薄くて柔軟な樹脂シートである為、巻き付けられる際に、高速回転で絶縁樹脂シートの表面側に巻かれる細断線の往復移動による位置移動や、絶縁樹脂シート自体の寸法、材質に起因する軸方向のズレ、捻れや、残留空気によるシワ、歪みが発生する事が多い。本考案は、このような品質低下の現象が発生する事を防止し、角型コイル製品の品質上の未解決問題の解決を課題とする。
【課題を解決するための手段】
【０００５】  本考案の解決手段を図２により説明する。本考案は、回転部１の回転軸１１に巻線用角型中子１２を装着し、前記回転軸１１の軸方向に往復移動し、同時に、巻線用角型中子１２に巻かれた１次巻線の上に巻付ける２次巻線の細電線２１を繰出す電線繰出し部２を備えた角型コイル用巻線機において、テープ状の絶縁樹脂シート３２を所定長に切断し、前記の巻線用角型中子１２に巻かれる前記細電線２１の下に間欠的に繰出す絶縁樹脂シート繰出し部３と、上端側が固定され、下端側が前記巻線用角型中子１２に巻かれている絶縁樹脂シート３２の上面を自重により押圧する絶縁シート整巻用押圧長片４を斜め方向に垂下させて設けた事を特徴としている
【考案の効果】
【０００６】  ２次巻線の細電線が巻かれる巻線用角型中子１２は断面が四角形状であるから、回転中には、絶縁シート整巻用押圧長片の下側部分の接圧位置の変化か繰り返えされる。従って、図２に例示する通り、傾斜状に自重で接圧している絶縁シート整巻用押圧長片４の下側部分は上下動を繰り返し、巻かれている絶縁樹脂シート３２に対して連続的叩き運動が発生する。【０００７】  上記の作用により、巻線用角型中子の高速回転による絶縁樹脂シートの位置移動に起因する軸方向のズレや捻れで発生する皺や弛みや歪みが抑制され、巻かれている絶縁樹脂シートと細電線の巻き付け状態が整えられ、その結果、図４に例示する通り、規格通りの品質を保持した角型コイルを効率よく生産する事ができる。
【考案の実施するための最良の形態】
【０００８】  一本考案においては、上端側が固定され、下端側は、斜め方向に垂れ下がり、巻かれている絶縁樹脂シートの表面に自重で接圧している絶縁シート整巻用押圧長片が重要な構成要素である。従って、斜め方向に垂下する絶縁シート整巻用押圧長片は柔軟、弾力性を有し、長さ、厚みの寸法及び材質の選定は、巻線用角型中子の高速回転に対応して下端側が上下叩き運動に適応する事が必要である。
【実施例】
【０００９】  本考案の実施例を添付の図面により説明する。図１は本考案を実施した角型コイル用巻線機の側面図を示す。本考案は、図２の主要部分拡大図に示す通り、回転軸１１に、１次巻線及び２次巻線を巻き付ける巻線用角型中子１２を装着する回転部１と、コイル巻きする電線を供給する電線繰出し部２と。絶縁樹脂シート３２を所定巻層数毎に間欠的に供給する絶縁樹脂シート繰出し部３と、絶縁樹脂シート３２を規格通り整然と巻き込む為の絶縁シート整巻用押圧長片４により構成される。【００１０】  回転部１の回転軸１１に装着する巻線用角型中子１２は、所定のコイル巻きの完了後は回転軸１１から抜き取り、更にコイルから脱去する。電線繰出し部２は、ローラーに巻かれた巻状電線２４から複数の電線送出しローラー２３を介して送り出される細電線２１を、電線繰出しローラー２２が、コイル巻き寸法に対応して回転軸方向に所定距離往復移動しながら、巻線用角型中子１２に繰り出す事により、高速回転している前記巻線用角型中子１２に細電線２１を巻き付ける。【００１１】  絶縁樹脂シート繰出し部３は、巻状絶縁樹脂シート３１から複数の絶縁シート送出しローラー３３を介して送り出される絶縁樹脂シート３２を、所定長さに切断した後、所定巻層数に応じて、絶縁シート繰出し突出台３４から、高速回転している巻線用角型中子１２に巻かれている細電線２１の下側に間欠的に繰り出されて巻き付けられる。【００１２】  絶縁樹脂シート３２を所定巻層数毎に間欠的に繰り出す実施例としては、通常、細電線巻数３５７巻、絶縁樹脂シート巻数１〜２巻である。【００１３】  絶縁シート整巻用押圧長片４は、上端側を押圧長片固定上端４１とし、斜めに垂れ下がる下端側は、巻線用角型中子１２に巻き付けられている絶縁樹脂シート３２の表面を自重で押圧するように装着する。【００１４】  この絶縁シート整巻用押圧長片４は、角型コイルの一辺の長さの５倍以上の長さが適し、幅は角型コイル幅に対応させ、厚さは材質の柔軟性に応じて設定し、図２に例示する通り。巻線用角型中子１２の回転により、斜めに垂れ下がって接圧する下端部が上下運動して叩き作用の効果を発揮させる。
【産業上の利用可能性】
【００１５】  本考案は構造が簡単であるが、極めて顕著な実効があり、高品質の角型コイロの量産に最適あるので、製品は電力関係機器に利用する角型コイルとして有効である。
【図面の簡単な説明】
【００１６】
【図１】は、本考案に係る角型コイル用巻線機の側面図である。
【図２】は、電線巻きにおける絶縁シート整巻用押圧長片の動作説明のの為の主要部分拡大図である。
【図３】は、図２に示した主要部分の斜視図である。
【図４】は、角型コイル製品の斜視図である。
【符号の説明】
【００１７】１    回転部
１１  回転軸
１２  巻線用角型中子
２    電線繰出し部
２１  細電線
２２  電線繰出しローラー
２３  電線送出しローラー
２４  巻状電線
３    絶縁樹脂シート繰出し部
３１  巻状絶縁樹脂シート
３２  絶縁樹脂シート
３３  絶縁シート送出しローラー
３４  絶縁シート繰出し突出台
４    縁縁シート整巻用押圧長片
４１  押圧長片固定上端
５    巻取機台
６    角型コイル製品
【図１】
0003183869.tif 000003
【図２】
0003183869.tif 000004
【図３】
0003183869.tif 000005
【図４】
0003183869.tif 000006